(57)【要約】【課題】ホッパー本体部の下方の開口部からの骨材の落下量を安定させることができる骨材用ホッパーを提供する。【解決手段】上方の開口部から内部に入れられた骨材を下方の開口部から排出するホッパー本体部３と、ホッパー本体部３の内部に設けられたバイブレータ５とを有する骨材用ホッパー１である。【選択図】図２
2016094201.tif 000002
【特許請求の範囲】
【請求項１】
上方の開口部から内部に入れられた骨材を下方の開口部から排出するホッパー本体部と、
前記ホッパー本体部の内部に設けられたバイブレータと、
を有することを特徴とする骨材用ホッパー。
【請求項２】
請求項１に記載の骨材用ホッパーにおいて、
前記バイブレータは、前記ホッパー本体部の内面から離れて設けられていることを特徴とする骨材用ホッパー。
【請求項３】
請求項１または請求項２に記載の骨材用ホッパーにおいて、
平面視したときに、前記バイブレータが前記ホッパー本体部の下方の開口部の内側に位置していることを特徴とする骨材用ホッパー。
【請求項４】
請求項１〜請求項３のいずれか１項に記載の骨材用ホッパーにおいて、
前記ホッパー本体部は、底面部と上面部とが長方形状に形成された四角錐台状に形成されており、前記上方の開口部が前記四角錐台の底面部に形成されており、前記下方の開口部が前記四角錐台の上面部に形成されており、
前記バイブレータは、三角柱状に形成されており、高さ方向が長方形状の前記下方の開口部の長手方向と一致し、１つの側面が水平になって下端に位置するようにして、前記ホッパー本体部の内部で、前記下方の開口部の近傍に設けられていることを特徴とする骨材用ホッパー。
【請求項５】
請求項１〜請求項４のいずれか１項に記載の骨材用ホッパーにおいて、
前記バイブレータの下端から突出している板状部材を有することを特徴とする骨材用ホッパー。
【発明の詳細な説明】
【技術分野】
【０００１】
本発明は、骨材用ホッパーに係り、特に、ホッパー本体部の下方の開口部からの骨材の落下を、バイブレータを用いて補助するものに関する。
【背景技術】
【０００２】
従来、バイブレータを用いてホッパー本体部の下方の開口部からの骨材の落下の補助をしているホッパーが知られている。
【０００３】
従来のホッパーでは、四角錐台状に形成されているホッパー本体部外面であって、ホッパー本体部の下方の開口部の近傍にバイブレータを設けている。
【０００４】
そして、バイブレータでホッパー本体部を振動させることで、ホッパー本体部の下方の開口部からの骨材の落下を補助している。
【０００５】
なお、従来の技術に関する文献としてたとえば特許文献１を掲げることができる。
【先行技術文献】
【特許文献】
【０００６】
【特許文献１】特開平９−１６９３８８号公報
【発明の概要】
【発明が解決しようとする課題】
【０００７】
ところで、従来のホッパーでは、ホッパー本体部が振動しているにもかかわらず、ホッパー本体部の下方の開口部からの骨材の落下量を安定させることができない場合があるという問題がある。
【０００８】
たとえば、ホッパー本体部が振動しているにもかかわらず、ホッパー本体の内部で骨材のブリッジ現象等が発生して、ホッパー本体部の下方の開口部から骨材が落下しなくなる場合がある。
【０００９】
本発明は、上記問題点に鑑みてなされたものであり、ホッパー本体部の下方の開口部からの骨材の落下量を安定させることができる骨材用ホッパーを提供することを目的とする。
【課題を解決するための手段】
【００１０】
請求項１に記載の発明は、上方の開口部から内部に入れられた骨材を下方の開口部から排出するホッパー本体部と、前記ホッパー本体部の内部に設けられたバイブレータとを有する骨材用ホッパーである。
【００１１】
請求項２に記載の発明は、請求項１に記載の骨材用ホッパーにおいて、前記バイブレータは、前記ホッパー本体部の内面から離れて設けられている骨材用ホッパーである。
【００１２】
請求項３に記載の発明は、請求項１または請求項２に記載の骨材用ホッパーにおいて、平面視したときに、前記バイブレータが前記ホッパー本体部の下方の開口部の内側に位置している骨材用ホッパーである。
【００１３】
請求項４に記載の発明は、請求項１〜請求項３のいずれか１項に記載の骨材用ホッパーにおいて、前記ホッパー本体部は、底面部と上面部とが長方形状に形成された四角錐台状に形成されており、前記上方の開口部が前記四角錐台の底面部に形成されており、前記下方の開口部が前記四角錐台の上面部に形成されており、前記バイブレータは、三角柱状に形成されており、高さ方向が長方形状の前記下方の開口部の長手方向と一致し、１つの側面が水平になって下端に位置するようにして、前記ホッパー本体部の内部で、前記下方の開口部の近傍に設けられている骨材用ホッパーである。
【００１４】
請求項５に記載の発明は、請求項１〜請求項４のいずれか１項に記載の骨材用ホッパーにおいて、前記バイブレータの下端から突出している板状部材を有する骨材用ホッパーである。
【発明の効果】
【００１５】
本発明によれば、ホッパー本体部の下方の開口部からの骨材の落下量を安定させることができるという効果を奏する。
【図面の簡単な説明】
【００１６】
【図１】本発明の実施形態に係るホッパーの平面図である。
【図２】図１におけるＩＩ−ＩＩ断面を示す図である。
【図３】図１におけるＩＩＩ−ＩＩＩ断面を示す図である。
【図４】図３におけるＩＶ部の拡大図である。
【発明を実施するための形態】
【００１７】
本発明の実施形態に係る骨材用ホッパー１は、図１〜図３で示すように、ホッパー本体部３とバイブレータ５とを備えて構成されている。
【００１８】
ホッパー本体部３は、この上方の開口部（上側開口部）７から内部に入れられた骨材を下方の開口部（下側開口部）９から排出するようになっている。なお、上側開口部７の開口面積は、下側開口部９の開口面積よりも大きくなっている。
【００１９】
バイブレータ５は、ホッパー本体部３の内部に設けられている。バイブレータ５は、ホッパー本体部３の内部であって、上下方向では上側開口部７と下側開口部９との間に設けられている。さらに説明すると、バイブレータ５は、上下方向では、下側開口部９側、たとえば、下側開口部９の近傍に設けられている。
【００２０】
また、バイブレータ５は、ホッパー本体部３の内部に入れられた骨材の下側開口部９からの排出機能を担保するために設けられている。すなわち、バイブレータ５は、ホッパー本体部３の内部での骨材のブリッジ現象の発生を抑制したり、骨材に含まれる水分やホッパー本体部３の内面の摩擦等によって、骨材がホッパー本体部３の内部でホッパー本体部３の内面に固着することを防止したりするために設けられている。
【００２１】
なお、骨材とは、コンクリートやアスファルト混合物（アスファルト合材）を作る際に用いられる材料である砂利や砂などであり、図１〜図４では、骨材の表示を省略している。
【００２２】
ホッパー本体部３の内面１１は傾斜している。また、バイブレータ５は、ホッパー本体部３の内面１１から離れて設けられている（非接触状態で設けられている）。
【００２３】
たとえば、バイブレータ５は、ホッパー本体部３の上側開口部７でホッパー本体部３に一体的に設けられたバイブレータ支持材（たとえばビーム状のバイブレータ支持材）１３から、ワイヤ１５等の紐状部材で吊り下げられている。この紐状部材は、長手方向の引っ張り力に対してのみ剛性（抵抗）を有する。また、ワイヤ１５の長さは調整自在になっている。これにより、たとえば、ホッパー本体部３に入る骨材の種類や組成に応じて、バイブレータ５のホッパー本体部３に対する高さ位置を調整できるようになっている。
【００２４】
骨材用ホッパー１を平面視すると、図１で示すように、バイブレータ５がホッパー本体部３の下側開口部９の内側に位置している。
【００２５】
ホッパー本体部３は、底面部と上面部とが長方形状に形成された四角錐台状に形成されている。そして、四角錐台が上下逆になっていることで、上側開口部７が四角錐台の底面部に形成されており、下側開口部９が四角錐台の上面部に形成されている。
【００２６】
さらに説明すると、ホッパー本体部３は、薄い平板状の素材を所定の形状にした後に適宜接合することで形成されている。これにより、ホッパー本体部３の外形や内部（内部空間）の形状も四角錐台状になっている。
【００２７】
バイブレータ５は、三角柱状に形成されている。そして、バイブレータ５は、高さ方向が長方形状の下側開口部９の長手方向（縦方向；上下方向と直交する水平な一方向）と一致し、１つの側面１７が水平になって下端に位置するようにして、ホッパー本体部３の内部で、下側開口部９の近傍に設けられている。
【００２８】
バイブレータ５の上面１９や底面２１は、頂角がたとえば７４°の二等辺三角状に形成されており、水平になって下端に位置している１つの側面１７が、上記二等辺三角形の底辺（頂角に対向している辺）に対応している。すなわち、１つの側面１７は、三角柱の上面の三角形の底辺と底面の三角形の底辺との間に位置している。これにより。バイブレータ５の一対の斜面２３は、この傾斜角度が５３°｛（１８０°−７４°）／２｝になっている。
【００２９】
平面視すると、図１で示すように、の長方形状の上側開口部７の長手方向と長方形状の下側開口部９の長手方向とはお互いが一致しており、ホッパー本体部３の上側開口部７の中心と下側開口部９の中心とはお互いが一致している。
【００３０】
また、平面視すると、ホッパー本体部３の下側開口部９の中心と、直方体状に見えるバイブレータ５の中心とはお互いが一致しており、ホッパー本体部３の下側開口部９の外縁とバイブレータ５の外縁との間には「ロ」字状の間隙２５が形成されている。これにより、上述したように、骨材用ホッパー１を平面視すると、バイブレータ５がホッパー本体部３の下側開口部９の内側に位置している。
【００３１】
上下方向では、バイブレータ５が、ホッパー本体部３の内部で下側開口部９よりも僅かに上方に位置している。なお、上下方向でバイブレータ５がホッパー本体部３の下端から下方に突出していることはなく、ホッパー本体部３の内部におさまっている。
【００３２】
また、バイブレータ振れ止め材４１によって、バイブレータ５が振れることが防止されるようになっている。バイブレータ振れ止め材４１は、ホッパー本体部３の内面１１からホッパー本体部３の中央側に水平方向で下側開口部９の長手方向に直交する方向に延びて突出し、たとえば片持ち梁の態様で設けられている。
【００３３】
バイブレータ振れ止め材４１は、複数（たとえば４つ）設けられている。４つのバイブレータ振れ止め材４１のそれぞれは、平面視すると、たとえば、バイブレータ支持材１３のところに位置しており、上下方向では、バイブレータ５のところに位置している。
【００３４】
４つのバイブレータ振れ止め材４１のそれぞれの先端は、バイブレータ５から僅かに離れており、バイブレータ振れ止め材４１の先端とバイブレータ５との間には、図４で示すように間隙４３が形成されている。
【００３５】
そして、バイブレータ５が大きく振れようとすると、バイブレータ５がバイブレータ振れ止め材４１の先端に振れ、これ以上の振幅でバイブレータ５が振れないようになっている。
【００３６】
なお、図２等では、バイブレータ振れ止め材４１を四角柱状に描いているが、バイブレータ振れ止め材４１が、バイブレータ５と同様に三角柱状になっていてもよい。
【００３７】
骨材用ホッパー１に、図２で示すように、板状部材２７が設けられていてもよい。この場合、板状部材２７は、たとえばバイブレータ５に一体的に設けられているとともに、バイブレータ５の下端（下面）１７から下方に突出している。
【００３８】
板状部材２７は、たとえば、ホッパー本体部３に入る骨材の種類や組成に応じて、バイブレータ５に対する位置と、三角柱状のバイブレータの１つの側面（下面）１７からの突出高さとを変更することができるようになっている。
【００３９】
バイブレータ５に対する板状部材２７の位置として、たとえば、三角柱状のバイブレータ５の高さ方向の位置（ホッパー本体部３の長方形状の下側開口部９の長手方向での位置）を掲げることができる。この長手方向に位置は、たとえば２００ｍｍピッチで調整することができるようになっている。
【００４０】
また、板状部材２７の突出高さの変更は、たとえば、形状を変えた板状部材２７を付け変えることでなされるようになっている。なお、板状部材２７の位置や突出高さの変更は、骨材用ホッパー１（バイブレータ５等）が停止している状態でしかも骨材がホッパー本体部３内に入っていない状態で、板状部材２７を手動で交換してなされるようになっている。なお、板状部材２７の突出高さは、たとえば１００ｍｍもしくは１５０ｍｍにされている。
【００４１】
さらに説明すると、板状部材２７の突出している部位は、図３や図４で示すように、矩形な平板状になっており、厚さ方向が、バイブレータ５の三角柱の高さ方向や長方形状の下側開口部９の長手方向と一致している。
【００４２】
平面視すると、板状部材２７は、バイブレータ５の三角柱の高さ方向では、バイブレータ５の中間部に位置しており、バイブレータ５の三角柱の高さ方向と直交する水平方向（横方向）では、板状部材２７は、バイブレータ５の一方の端から他方の端にわたって設けられている。
【００４３】
また、側面視すると、板状部材２７の下端は、ホッパー本体部３の下側開口部９よりも上方に位置している。
【００４４】
さらには、板状部材２７は、図２で示すように、矩形な薄い平板状の素材を「Ｌ」字状に曲げた形状に形成されており、一方の長方形な平板状の部位２９がバイブレータ５の下端から突出しており、他方の長方形な平板状の部位３１が、バイブレータ５の下面に接触してバイブレータ５に一体的に設けられている。
【００４５】
骨材用ホッパー１は、図示しない骨材用ホッパー支持部材によって支持されて地面の上に設置されている。このとき地面とホッパー本体部３の下端（板状部材２７の下端）との間は上下方向で所定の距離だけ離れている。
【００４６】
ホッパー本体部３の下方には、ベルトコンベヤ３３が設置されている。ベルトコンベヤ３３もこの筐体が上記骨材用ホッパー支持部材によって支持されている。そして、ベルトコンベヤ３３のベルトの上面と板状部材２７の下端とが上下方向で所定の距離だけ離れており、また、ベルトコンベヤ３３のベルトの上面とホッパー本体部３の下端とが上下方向で所定の距離だけ離れている。
【００４７】
ホッパー本体部３の下側開口部９からベルトコンベヤ３３上に落下した骨材は、ベルトコンベヤ３３によって、下側開口部９の長手方向に搬送されるようになっている。
【００４８】
ホッパー本体部３は、４つの板状で等脚台形状の壁面材３５を備えて、四角錐台状に形成されているが、４つの壁面材３５のうちの１つの壁面材（下側開口部９の長手方向でベルトコンベヤ３３での骨材搬送方向の下流側に位置している壁面材）３５Ａ（図１参照）は、他の３つの壁面材３５よりも、上底側の部分が切り欠かれていることで高さ寸法が小さくなっている。これにより、下側開口部９は、１つの壁面材３５Ａのところで、開口している部位（下流側開口部）４５が上方に位置しており、ベルトコンベヤ３３上に落下した骨材が流れ易くなっている。
【００４９】
ところで、調整ゲート４７を設け、下流側開口部４５の開口面積を調整してもよい。すなわち平板状のシャッター部材４９を、下流側開口部４５の上部にあたるホッパー本体部３の部位にスライド・位置決め自在に設け、シャッター部材４９の斜め上下方向における位置を調整することで、下流側開口部４５の開口面積（下流側開口部４５の上端の位置）を変更するようにしてもよい。なお、上下方向で、板状部材２７の下端の位置が、下流側開口部４５の上端の位置よりも下側に位置していることが望ましい。
【００５０】
また、ホッパー本体部３の下側には、ゴム等の弾性部材で構成された骨材漏れ止め材５１が設けられている。骨材漏れ止め材５１では、３つの細長い矩形な板状の部材を平面視において、「コ」字状に配置されている。骨材漏れ止め材５１は下流側開口部４５のところには、設けられておらず、下側開口部９の一対の長辺の部位と、下流側開口部４５とは反対側の１つの短辺の部位とに設けられていることで、平面視で「コ」字状に配置されている。このように、骨材漏れ止め材５１を設けたことで、ホッパー本体部３下端とベルトコンベヤ３３の上面との間が、下流側開口部４５のところを除いて塞がれ、下側開口部９からベルトコンベヤ３３上に落下した骨材が、ベルトコンベヤ３３の外に漏れてしまうことが防止される。
【００５１】
バイブレータ支持材１３は、上側開口部７の近傍のホッパー本体部３内で、上側開口部７の横方向に延びて一対で設けられている。平面視すると、一方のバイブレータ支持材１３は、下側開口部９の長手方向の一端側に位置しており、他方のバイブレータ支持材１３は、下側開口部９の長手方向の他端側に位置している。
【００５２】
各バイブレータ支持材１３の延伸方向の中央部からは、ワイヤ１５が下方に垂れており、各ワイヤ１５の下端部のそれぞれには、バイブレータ５の長手方向の両端部のそれぞれが接続されている。
【００５３】
バイブレータ５は、図４で示すように、モータ３７を備えて構成されており、モータ３７の回転出力軸には、重心が回転出力軸の回転中心からずれている錘（図示せず）が設けられている。そして、モータ３７が駆動することで振動が発生するようになっている。なお、バイブレータ５はカバー３９によって外形が三角柱状になっており、モータ３７や錘は、カバー３９の内部に設けられている。
【００５４】
バイブレータ５（モータ３７）への電力の供給は、バイブレータ５から上方に、少なくとも下側開口部９のところまでパイプ（図示せず）を突出させ、上記パイプ内に配線を通すことでなされている。
【００５５】
次に、骨材用ホッパー１の動作について説明する。
【００５６】
ホイールローダ等で搬送されて骨材を、ホッパー本体部３の上側開口部７からホッパー本体部３内に投入する。
【００５７】
この投入後にバイブレータ５が振動すると、振動が骨材にも伝達され、下側開口部９からベルトコンベヤ３３上に骨材が落下する。なお、バイブレータ５が振動しても、バイブレータ５がワイヤ１５で吊られているので、ホッパー本体部はほとんど振動しない。
【００５８】
ベルトコンベヤ３３が稼動することで、ベルトコンベヤ３３上に落下した骨材が搬送される。この搬送がされるときに、板状部材２７によって骨材のすりきりがなされ、ベルトコンベヤ３３の搬送方向における板状部材２７の下流側に搬送される骨材の量が規制されるようになっている。
【００５９】
なお、ホッパー本体部３の上側開口部７から骨材をホッパー本体部３内に投入する前に、バイブレータ５やベルトコンベヤ３３が稼動していてもよい。
【００６０】
骨材用ホッパー１によれば、バイブレータ５がホッパー本体部３の内部に設けられているので、バイブレータ５の振動を骨材に直接伝える（加える）ことができ、ホッパー本体部３の下側開口部９からの骨材の落下量を安定させることができる。
【００６１】
また、骨材用ホッパー１によれば、バイブレータ５がホッパー本体部３の内面から離れて設けられているので、バイブレータ５が発した振動のエネルギーがホッパー本体部３に伝達されることがほとんどなくホッパー本体部３内の骨材に直接効率良く伝達することができ、ホッパー本体部３の下側開口部９からの骨材の落下量を一層安定させることができる。
【００６２】
また、骨材用ホッパー１によれば、平面視したときに、バイブレータ５がホッパー本体部３の下側開口部９の内側に位置しているので、ホッパー本体部３の下側開口部９の外縁とバイブレータ５の外縁との間には、「ロ」字状のほぼ一定の幅の間隙２５（図１参照）が形成されていることになる。これにより、ホッパー本体部３の下側開口部９からの骨材の落下量をさらに一層安定させることができる。
【００６３】
また、骨材用ホッパー１によれば、ホッパー本体部３が、底面部と上面部とが長方形状に形成された四角錐台状に形成されており、下側開口部９が四角の錐台の上面部に形成されており、バイブレータ５が、三角柱状に形成されており、高さ方向が長方形状の下側開口部９の長手方向と一致し、１つの側面１７が水平になって下端に位置するようにして、ホッパー本体部３の内部で、下側開口部９の近傍に設けられているので、ホッパー本体部３の下側開口部９の近傍におけるホッパー本体部３の内面への骨材の付着やバイブレータ５の上面への骨材の付着を防止することができる。
【００６４】
また、骨材用ホッパー１によれば、板状部材２７が設けられているので、ホッパー本体部３の下側開口部９から排出された骨材を、骨材用ホッパー１の下方で骨材用ホッパー１（板状部材２７）の下端よりも所定の距離だけ離れて設置されたベルトコンベヤ３３で水平方向に搬送するときに、ベルトコンベヤ３３で搬送される骨材の量を調整することができる。
【００６５】
すなわち、ベルトコンベヤ３３による骨材の搬送方向や板状部材２７の厚さ方向がホッパー本体部３の長方形状の下側開口部９の長手方向と一致しており、板状部材２７の下端とベルトコンベヤ３３の上面とが所定の距離だけ離れているので、ベルトコンベヤ３３上にホッパー本体部３から排出された骨材が一時的に多くなりすぎた場合、板状部材２７によって骨材のすりきりがなされ、ベルトコンベヤ３３の搬送方向における板状部材２７の下流側に搬送される骨材の量が規制されるようになっている。
【００６６】
なお、骨材用ホッパー１の下側開口部９から落下する骨材の量（時間あたりの平均的な量）の調整は、バイブレータ５の振幅や摺動数、板状部材２７の設置位置等、ワイヤ１５の長さの調整等によってなされる。
【００６７】
ところで、ワイヤ１５等の紐状部材を、鉛直方向に延伸させて設けることに代えてもしくは加えて、図２の二点鎖線Ｌ１で示すように、斜めに一対で設けてもよい。二点鎖線Ｌ１で示す紐状部材は、下端がバイブレータ５に接合されており、上端がバイブレータ支持材１３と同様の部材（図示せず）に接合されている。また、一対の二点鎖線Ｌ１で示す紐状部材は、上側に向かうにしたがって、お互いの間隔が開いている。
【００６８】
また、三角柱状のバイブレータ５の下側の一対の角部を、図４に二点鎖線Ｌ２で示すように、円弧状に形成してもよい。
【符号の説明】
【００６９】
１  骨材用ホッパー
３  ホッパー本体部
５  バイブレータ
７  上方の開口部
９  下方の開口部
１１  ホッパー本体部の内面
２７  板状部材
【図１】
2016094201.tif 000003
【図２】
2016094201.tif 000004
【図３】
2016094201.tif 000005
【図４】
2016094201.tif 000006